(57)【要約】【課題】カーソル表示体に複数の機能を持たせた場合であっても、きわめて簡単な操作で所望の機能を実行し得る情報入力装置を提供することを目的とするものである。【解決手段】文書の新規作成、表示、保存、編集など複数の機能のアイコン４０、４１、４２、４３が表示部１１に表示されている状態では、所望のアイコンをクリックして所望の機能を選択して実行させる。この選択によって文字入力機能が選択されるとカーソル表示体５２とその近傍に機能表示体５３とが同時に表示され文字の入力が可能となり、表示されている機能表示体５３をクリックすることによって文字入力状態から機能選択状態に戻ることが出来る。【選択図】      図７
2004177991.tif 000002
【特許請求の範囲】
【請求項１】
情報を入力するための情報入力手段と、この情報入力手段により入力された情報を表示する表示手段と、前記情報入力手段によって入力される情報が表示される位置にカーソル表示体を表示させるカーソル表示制御手段と、このカーソル表示制御手段によって表示された前記カーソル表示体の近傍に機能表示体を表示させる機能表示制御手段と、この機能表示制御手段によって表示された機能表示体を選択指定することによって予め定められた処理を実行する処理実行手段とを備えたことを特徴とする情報入力装置。
【請求項２】
更に、処理すべき複数の項目を表示する項目表示手段を備え、
前記処理実行手段は、前記項目表示手段によって表示された複数の項目のうちのいずれかを選択するために前記カーソル表示体を前記複数の項目のうちのいずれかに対応させて表示させる項目選択手段と、この項目選択手段によって選択された項目の処理を実行させる処理手段とからなることを特徴とする請求項１に記載の情報入力装置。
【請求項３】
前記機能表示制御手段は、前記機能表示体の表示を、処理すべき複数の項目を示すための表示とし、
前記処理実行手段は、前記項目表示手段によって表示された複数の項目のうちのいずれかを選択することによって選択された項目の処理を実行させるようにしたことを特徴とする請求項１に記載の情報入力装置。
【請求項４】
前記カーソル表示制御手段は、前記情報入力手段によって入力された情報が表示されている表示領域の次の表示領域に前記カーソル表示体を表示させることを特徴とする請求項１に記載の情報入力装置。
【請求項５】
前記情報入力手段は、前記表示手段の前面に設けられた透明タッチ入力手段と、この透明タッチ入力手段上を手書き入力された文字の軌跡を表示する軌跡表示手段と、前記手書き入力された文字を認識する文字認識手段とからなり、
前記カーソル表示制御手段は、前記手書き入力された位置に前記カーソル表示体を表示させることを特徴とする請求項１に記載の情報入力装置。
【請求項６】
前記機能表示体は、ドットポインタ表示体であることを特徴とする請求項１に記載の情報入力装置。
【請求項７】
情報入力手段及びこの情報入力手段によって入力される情報を表示する表示手段を備えた電子機器の情報入力装置であって、
前記情報入力手段による情報入力を可能にする情報入力項目を含む複数の処理項目を表示する項目表示手段と、この項目表示手段によって表示された複数の項目表示のうちのいずれかを選択するためにカーソル表示体を前記複数の項目のうちのいずれかに対応させて表示させる項目選択手段と、この項目選択手段によって前記情報入力項目が選択された際に前記カーソル表示体を表示態様を変えて表示させるカーソル変更手段と、このカーソル変更手段によって表示態様が変わったカーソル表示体の近傍に機能表示体を表示させる機能表示制御手段と、この機能表示制御手段によって表示された機能表示体を選択指定することによって前記情報入力手段による情報入力を禁止すると共に前記カーソル変更手段によって表示態様が変更された前記カーソル表示体を元の表示態様に戻す復帰手段とを備えたことを特徴とする情報入力装置。
【請求項８】
コンピュータに対して、情報を入力する機能と、この入力された情報を表示する機能と、前記入力された情報が表示される位置にカーソル表示体を表示する機能と、この表示されたカーソル表示体の近傍に機能表示体を表示する機能と、この表示された機能表示体を選択指定することによって予め定められた処理を実行する機能とを実現させるためのプログラム。
【発明の詳細な説明】
【０００１】
【発明の属する技術分野】
本発明は、文字などの情報を入力する情報入力装置に関する。
【０００２】
【従来の技術】
従来、入力装置から入力された文字情報を表示させ、記憶、編集などの各種処理を行わせるパーソナルコンピュータ等の電子機器においては、表示上の任意の位置にカーソル表示体を表示させることが行われている。この種のカーソル表示体としては、文字入力の際に入力される文字が表示される位置に予め点滅するハイフォン表示体を表示させることや、表示されている複数の処理アイコンの一つを選択する（処理選択）ために、マウスなどで移動する矢印形状の表示体を表示させること等が一般的に行われている。
【０００３】
また、単にカーソル表示体で表示上の位置を示すだけでなく、カーソル表示体の近傍に入力された文字の表示領域を設けて新たな文字を追加入力できるようにすること（例えば、特許文献１参照）や、カーソル表示体の近傍に情報表示領域を設け、カーソル表示体が表示されている位置の表示情報に関連する内容を近傍に設けられた情報表示領域に説明表示させるようにすることも考えられている（例えば、特許文献２及び３参照）。
【０００４】
【特許文献１】
特開平１１−２３１９８６号公報
【特許文献２】
特開平７−９８７６７号公報
【特許文献３】
特開２０００−１４８３４９号公報
【０００５】
【発明が解決しようとする課題】
上述した如く、従来のカーソル表示体には、文字入力位置の明示、処理選択、表示情報の説明など複数の機能を持たせる様になってきているものの、これら複数の機能を同時に行わせることは出来ておらず、カーソル表示体を複数の機能のうちいずれかの機能として使用するため選択釦などのキー操作で選択しなければならず、キー操作がきわめて面倒であるという欠点があった。例えば、文書作成モードで文字入力が完了し、作成した文書を記憶部に記憶させる様な場合、まず、キー操作でカーソル表示体の機能を文字入力位置の明示機能から処理選択機能に切り替え、次に、カーソル表示体を移動させて保存アイコンに重ねて表示させ、その後実行キーを操作して作成した文書の記憶処理を行わせるといった操作を行わなければならなかった。
【０００６】
また、複数の機能を持たせた場合、カーソル表示体を見ただけではいずれの機能として使用しているかを判断できないという欠点もあった。
【０００７】
本発明は上記の実情に鑑みてなされたもので、カーソル表示体に複数の機能を持たせた場合であっても、きわめて簡単な操作で所望の機能を実行し得る情報入力装置を提供することを目的とするものである。
【０００８】
【課題を解決するための手段】
上述した課題を解決するために、請求項１の発明の情報入力装置では、情報を入力するための情報入力手段と、この情報入力手段により入力された情報を表示する表示手段と、前記情報入力手段によって入力される情報が表示される位置にカーソル表示体を表示させるカーソル表示制御手段と、このカーソル表示制御手段によって表示された前記カーソル表示体の近傍に機能表示体を表示させる機能表示制御手段と、この機能表示制御手段によって表示された機能表示体を選択指定することによって予め定められた処理を実行する処理実行手段とを備えたことを特徴とする。
【０００９】
このような構成とすることにより、カーソル表示体を文字の入力位置を示す表示に用いている際においても、カーソル表示体の近傍に表示されている機能表示体を選択指定するだけで他の処理を直ちに実行できるので、きわめて操作性のよい情報入力装置を提供できるものである。
【００１０】
また、請求項２の発明では、請求項１の発明において、更に、処理すべき複数の項目を表示する項目表示手段を備え、前記処理実行手段が、前記項目表示手段によって表示された複数の項目のうちのいずれかを選択するために前記カーソル表示体を前記複数の項目のうちのいずれかに対応させて表示させる項目選択手段と、この項目選択手段によって選択された項目の処理を実行させる処理手段とからなることを特徴とするものである。
【００１１】
即ち、この請求項２の発明は、カーソルの近傍に表示されている機能表示体を選択指定すると、カーソル表示体が、複数の項目の一つを選択する機能に切り替わることを特徴としているものである。
【００１２】
請求項３の発明は、請求項１の発明において、前記機能表示体が、処理すべき複数の項目を表示する項目表示手段を備え、前記処理実行手段が、前記項目表示手段によって表示された複数の項目のうちのいずれかを選択することによって選択された項目の処理を実行させる項目処理手段を備えたことを特徴とするものである。
【００１３】
即ち、この請求項３の発明は、前記機能表示手段で表示されたカーソル表示体の近傍に、複数の項目を表示させ、この複数の項目の一つを選択することによってその項目の処理を行わせるもので、文字入力から直ちに項目の選択処理を行うことが出来るようにしたものである。
【００１４】
請求項４の発明は、カーソル表示制御手段が、情報入力手段によって入力された情報が表示されている表示領域の次の表示領域に前記カーソル表示体を表示させることを特徴とするものである。
即ち、機能表示体は文字入力位置に表示されているカーソル表示体の近傍に表示されるようになっており、前記機能表示体を選択指定することによって予め定められた処理が実行されるものである。
【００１５】
請求項５の発明は、前記情報入力手段が、前記表示手段の前面に設けられた透明タッチ入力手段と、この透明タッチ入力手段上を手書き入力された文字の軌跡を表示する軌跡表示手段と、前記手書き入力された文字を認識する文字認識手段とからなり、
【００１６】
前記カーソル表示制御手段は、前記手書き入力された位置に前記カーソル表示体を表示させることを特徴とするもので、情報が手書き入力によって入力される点を明確にしたものである。
【００１７】
請求項６の発明は、前記機能表示体がドットポインタ表示体であることを明確にしたものである。
【００１８】
請求項７の発明による情報入力装置は、情報入力手段及びこの情報入力手段によって入力される情報を表示する表示手段を備えた電子機器の情報入力装置であって、前記情報入力手段による情報入力を可能にする情報入力項目を含む複数の処理項目を表示する項目表示手段と、この項目表示手段によって表示された複数の項目表示のうちのいずれかを選択するためにカーソル表示体を前記複数の項目のうちのいずれかに対応させて表示させる項目選択手段と、この項目選択手段によって前記情報入力項目が選択された際に前記カーソル表示体を表示態様を変えて表示させるカーソル変更手段と、このカーソル変更手段によって表示態様が変わったカーソル表示体の近傍に機能表示体を表示させる機能表示制御手段と、この機能表示制御手段によって表示された機能表示体を選択指定することによって前記情報入力手段による情報入力を禁止すると共に前記カーソル変更手段によって表示態様が変更された前記カーソル表示体を元の表示態様に戻す復帰手段とを備えたことを特徴とするものである。
【００１９】
即ち、この請求項７の発明では、カーソル表示体によって複数の項目の中から任意のいずれかの項目を選択でき、選択された項目が情報入力であった場合にはカーソル表示体の形を変えて表示させて情報入力が可能な状態であることを知らしめると同時に、カーソル表示体の近傍に機能表示体を表示させ、この機能表示体の選択指定によって情報入力を終了させるようにしたものである。
【００２０】
【発明の実施の形態】
以下、図面を参照して本発明の実施の形態を詳細に説明する。
【００２１】
図１は、本発明を適用したＰＤＡ（パーソナル・デジタル・アシスタンツ）等の携帯型小型電子機器（以下、電子機器と略称する。）１の正面図ある。電子機器１は、機器ケース１Ａの中央が情報の表示領域（表示画面）２となっており、表示領域２の下方には、４方向接点キー３、電源のオン・オフを制御する制御キー４及びその他の機能制御に用いられる制御キー５、６、７が設けられている。また、機器ケース１Ａの上面部には、外部機器或いは電話回線網等と情報を無線で送受信するためのアンテナ８を有する通信カード９が着脱可能に取りつけられるコネクタ部（図示せず）が設けられており、側面部には、各種情報を記憶する記憶媒体１０が着脱可能に取りつけられるコネクタ部（同じく図示せず）が設けられている。
【００２２】
上記表示領域２は、詳細を後述する液晶表示装置等から構成される表示部１１（図２参照）の上に透明タッチ入力キーからなるペン入力パネル１２（図２参照）を配置したもので、表示領域２上をペン１３でトレースすることによって文字などを手書き入力させることが出来るものである。
【００２３】
図２は、上記電子機器１の回路ブロック図である。制御部１４は、ＣＰＵ（中央処理ユニット）などから構成され、ＲＯＭ（リード・オンリ・メモリ）１５に予め記憶されている基本ソフトプログラム及び各種アプリケーションプログラム等を動作させて各部を制御するものである。また、ＲＯＭ１５が、フラッシュメモリ等のリード・ライト可能なＲＯＭで構成されている場合には、前述した記憶媒体１０からアプリケーションプログラムを読み込んでＲＯＭ１５に記憶させ、記憶させたアプリケーションプログラムを実行させることも出来る様になっている。なお、記憶媒体１０はハードディスク等の固定的なメモリの他、ＣＤ−ＲＯＭ、ＤＶＤ等の着脱自在な記憶媒体を装着可能な構成であってもよい。更に、ＣＰＵ１４は通信制御部１８を介して他の電子機器側（図示せず）のプログラム／データを直接アクセスして使用したり、通信制御部１８を介してダウンロード受信することもできる。通信制御部１８は、有線／無線の通信インターフェイスで
ある。
【００２４】
表示部１１は、カラードットマトリクスタイプの液晶表示装置及びその駆動回路（図示せず）などから構成されていて各種情報を表示するものであり、その表示内容に関しては後述する。ペン入力パネル１２は、詳細な構成は図示していないが、離間した２枚の透明基板の相対向する面に透明キー電極を配置したもので、ペン１３によってタッチされた位置のキー情報を出力するものである。
【００２５】
キー入力部１６は、前述した４方向接点キー３、各種制御キー４、５、６、７から構成されており、記憶制御部１７は、前記記憶媒体１０への情報の書き込み及び情報の読み出しを制御する回路で、通信制御部１８は、通信カード９による情報の送受信を制御する通信インターフェイスである。
【００２６】
ＲＡＭ（ランダム・アクセス・メモリ）１９は、各種の情報（データ）を記憶するものでその記憶領域の詳細を図３に示す。即ち、ＲＡＭ１９には、後述するカーソル表示体が表示領域２のいずれの位置に表示するかの位置座標情報を記憶するカーソル位置座標記憶領域２０と、表示されるカーソル表示体の種類を示す情報である種類フラッグＣを記憶する種類フラグ記憶領域２１と、後述するポインタ表示体を表示領域２のいずれの位置に表示するかの位置座標情報を記憶するポインタ位置記憶領域２２と、このポインタ位置記憶領域２２に記憶された位置にポインタ表示体を表示するか否かを制御する表示フラッグＦを記憶する表示フラッグ記憶領域２３とを備えている。
【００２７】
尚、前記種類フラッグＣは、値が「０」の時（Ｃ＝０）と、値が「１」の時（Ｃ＝１）とで、表示されるカーソル表示体の表示態様（形状）を異ならせるものであり、それぞれの表示態様に関しては後述する。また、表示フラッグＦは、値が「０」の時（Ｆ＝０）には後述するポインタ表示体を表示させず、値が「１」の時（Ｆ＝１）にポインタ表示体を表示させるものであり、これについても詳細は後述する。
【００２８】
しかして、ＲＡＭ１９には、更に、演算処理中に使用されるデータや演算結果データ等を一時的に記憶するワークエリヤ２４と、文書作成や表作成などのアプリケーションを実施して得られた各種のファイルデータなどを記憶するデータ記憶エリア２５とが設けられている。
【００２９】
以上の如く構成された電子機器１の動作につき、図４乃至図６のフローチャート及び図７、図８の表示状態図を参照して詳細に説明する。
ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。すなわち、記録媒体の他、伝送媒体を介して外部供給されたプログラム／データを利用してこの実施形態特有の動作を実行することもできる。
【００３０】
図４は、制御キー４を操作して電源を投入した時のフローチャートである。電源が投入されると、まずステップＳ１ではショートアイコン（以下、メニューアイコンと称することもある。）の表示処理がなされる。即ち、この電子機器１には、表作成、文書作成、文書の編集、通信、・・・画像処理、ヘルプ機能等、複数の実行可能なアプリケーションソフトが組み込まれており、これらのアプリケーションの機能を表す項目名がショートアイコン（メニューアイコン）として作成されていて、これらが表示部１１に表示されるものである。図７の（ａ）は、このステップＳ１における表示状態を示しており、表作成のショートアイコン３０、文書作成のショートアイコン３１、文書の編集ショートアイコン３２、通信機能を動作させるショートアイコン３３、・・・等が並列表示される。また、同時に電源をオフさせるための終了アイコン３４も同時に表示される。
【００３１】
図４のステップＳ２では、選択カーソルの表示処理がなされる。この選択カーソルの表示処理は、ＲＡＭ１９の種類フラッグ記憶領域２１に記憶されている種類フラッグＣを「０」に設定し、図７（ａ）に示す如く、カーソル表示体３５の形状（表示態様）を矢印形状（以下、この形状のカーソル表示体３５を選択カーソルと呼称する。）にして表示させるものである。また、同時にＲＡＭ１９のカーソル位置座標記憶領域の座標値（座標情報）を予め定められた値に設定して、図７（ａ）のカーソル表示体３５が表示されている位置に表示させるようにする。
【００３２】
次のステップＳ３は、キー入力があったか否かを判断すると共に、キー入力があった際にはそのキー入力が表示領域２上、即ち、ペン入力パネル１２上でペン１３によるタッチ操作が行われたキー入力であるか否かを判断するステップである。ペン１３によるタッチ操作が有ったと判断された場合（Ｙｅｓの場合、以下単にＹと表記する）にはステップＳ４に進んで、そのペンタッチがダブル（Ｗ）クリック操作か否か、即ち、一定時間以内に２回のタッチ操作が有ったか否かが判断される。Ｗクリック操作でない場合（Ｎｏの場合、以下単にＮと表記する）には、タッチ操作は１回のみ、即ちワンクリック操作で有ると判断されステップＳ５に進んで、選択カーソル３５をタッチ操作がなされた位置に移動させて表示するものである。
【００３３】
図７の（ｂ）は、ペン１３で文書作成のショートアイコン３１上をワンクリックした際の表示状態を示すもので、選択カーソル３５がショートアイコン３１上に移動した状態を示している。しかして、ステップＳ４でペン操作がＷクリックであると判断された場合（Ｙ）にはステップＳ６に進み、そのＷクリックがショートアイコン上での操作か否かが判断される。ショートアイコン上でない場合（Ｎ）には、ステップＳ５に進んで選択カーソル３５をその位置に移動表示させるだけであるが、ショートアイコン上でのＷクリックの場合（Ｙ）にはステップＳ７に進み、Ｗクリックされたショートアイコンの機能を動作可能な状態に設定するモード切替が行われる。
【００３４】
尚、ステップＳ３で、ペン入力によるキー入力ではないと判断された場合（Ｎ）には、４方向接点キー３、各種制御キー４、５、６、７のキー入力であると判断し、ステップＳ８に進んでそれらのキーの入力処理が行われるものである。
【００３５】
図５及び図６のフローチャートは、ペン１３によって文書作成のショートアイコン３１がＷクリックされて、文書作成モードに切り替わった以後のフローチャートを示すものである。文書作成モードになると、まずステップＴ１では、文書作成モードの初期表示を行う。図７（ｃ）は、文書作成モードの初期表示状態を示すもので、表示部１１の上方に文書作成モードであることを示す「文書作成」の文字が表示され、その下に新規文書ファイルを作成するショートアイコン４０、既に作成されていて記憶されている文書ファイルを表示させる（開く）ショートアイコン４１、作成した文書ファイルを保存するショートアイコン４２、作成した文書ファイルの編集を行うショートアイコン４３が横一列に表示される。また、選択カーソル３５は、初期位置、即ち波線で示した位置に表示されている。
【００３６】
図５のステップＴ２では、キー入力の有無を検出すると共にそのキー入力がペン１３によるタッチ入力か否かが判断される。ペン１３によるタッチ操作でない場合（Ｎ）にはステップＴ３に進んで４方向接点キー３、各種制御キー４、５、６、７等のキー入力処理が行われるが、タッチ入力の場合（Ｙ）にはステップＴ４に進んで種類フラッグＣが「０」であるか否かが判断される。種類フラッグＣが「０」である場合、即ちカーソル表示体３５が選択カーソルの場合（Ｙ）にはステップＴ５に進みタッチ入力がＷクリックか否かが判断される。
【００３７】
タッチ入力がＷクリックの場合（Ｙ）は、ステップＴ６に進むが、タッチ入力がＷクリックでない場合（Ｎ）には、ステップＴ７に進み、ワンクリックか否か、即ち一定時間内に一回のみクリックされたものか否かを判断し、ワンクリックであった場合にはステップＴ８で選択カーソル３５をワンクリックがなされた位置に移動させる。図７（ｃ）は、新規文書ファイル作成のショートアイコン４０上をペン１３でワンクリックし、カーソル表示体３５が新規文書ファイル作成のショートアイコン４０上に移動した表示状態を示している。尚、Ｗクリックでもワンクリックでもない場合、即ち、ペンタッチ入力が、画面上をトレースさせた場合（ステップＴ７でＮ）には選択カーソル３５の移動は行わない。
【００３８】
ステップＴ５において、Ｗクリックで有ることが検出された場合、次のステップＴ６ではそのＷクリックがショートアイコン上でなされたものか否かの判断がなされる。ショートアイコン上でのＷクリックでない場合（Ｎ）にはＷクリック操作は無効となるが、ショートアイコン上の場合（Ｙ）はステップＴ９に進んで、そのＷクリックが新規文書ファイル作成のショートアイコン４０上でなされたものか否かが判断される。
【００３９】
ステップＴ９で、新規文書ファイル作成のショートアイコン４０上でのＷクリックで有ると判断された場合（Ｙ）はステップＴ１０以降に進んで、新規文書の作成を可能にするための処理、即ち、新規文書作成のアプリケーションソフトを起動して文字入力を可能にするための処理を行わせるが、ショートアイコン４０上でのＷクリックではない場合にはステップＴ１１に進み、他のショートアイコン４１、４２、４３のいずれの上でのＷクリックかを判断し、それぞれのショートアイコンに対応するアプリケーションソフトを起動してそれぞれの処理を行わせるものである。ここでは、以下に、ステップＴ１０以降の新規文書ファイル作成のための動作を説明するので、ステップＴ１１における他のショートアイコン４１、４２、４３がＷクリックされた場合の詳細な説明は省略する。
【００４０】
しかしてステップＴ１０では、まず図７（ｄ）に示すように、区切線４５、４６を表示させて、表示画面を手書文字入力領域４７、認識文字表示領域４８、確定文字表示領域４９に区分する。また、終了アイコン３４に隣接させて確定アイコン５０を表示させ、更に、確定文字表示領域４９には入力された文字が表示される位置を明示する入力カーソル５１を点滅表示させる。
【００４１】
次のステップＴ１２では、ＲＡＭ１９の種類フラッグＣの値を「１」に設定すると共に、カーソル位置座標記憶領域２０の座標情報を手書文字入力領域４７の所定の位置に設定する。上記種類フラッグＣの値が「１」に設定されることにより、カーソル表示体はこれまで説明してきた矢印形状の選択カーソル３５から棒形状のカーソル（以下、機能カーソル５２と称呼する。）に表示態様が切り替わり、図７（ｄ）に示すように手書文字入力領域４７の所定の位置に表示される。
【００４２】
次のステップＴ１３では、ＲＡＭ１９のカーソル位置座標記憶領域２０の座標情報、即ち、機能カーソル５２が表示されている位置の座標情報を基に、その近傍で機能カーソル５２が表示されている位置よりも所定距離だけ離れた位置の位置座標をＲＡＭ１９のポインタ位置記憶領域２２に記憶させると共に、表示フラッグＦの値を「１」に設定する。表示フラッグＦが「１」に設定されたことにより、図７（ｄ）に示すようにポインタ表示体５３が表示され、その表示位置は機能カーソル５２が表示されている位置よりも所定距離だけ離れた位置となる。尚、上記ポインタ表示体５３は、ドット形状の表示体となっているが、その表示態様はドット形状には限定されず任意の態様で表示させることが出来る。また、ポインタ表示体５３には、後述する如く、そのタッチ入力により所定の機能を行わせるようになっているので、以降、ポインタ表示体５３或いは同等の機能をなす表示体を機能表示体と称することもある。しかして、ステップＴ１３の処理が終了するとステップＴ２に戻り、キー入力の有無を検出する状態、即ち、文字などの入力待ちの状態となる。
【００４３】
次に、図８（ａ）に示すように、手書文字入力領域４７にペン１３を当接して、図８（ｂ）に示すように順次文字を手書き入力（トレース）していくと、ステップＴ２ではペンタッチ入力が検出されてステップＴ４に進む。ステップＴ４では種類フラッグＣの値が「０」か否かが判断され、この状態では、既にステップＴ１２でＣ＝１に設定されているので種類フラッグＣの値が「０」ではないと判断され（Ｎ、Ｃ＝１）、図６のステップＴ１４に進む。
【００４４】
ステップＴ１４では、ペンタッチ入力がクリック動作か否かが判断され、文字の手書き入力であってクリック動作でないことが判断されると（Ｎ）、ステップＴ１５に進み、手書き入力がトレース領域、即ち手書文字入力領域４７でなされているものか否かが判断される。手書文字入力領域４７以外での手書き入力の場合（Ｎ）は無効となるが、手書文字入力領域４７での手書き入力の場合（Ｙ）はステップＴ１６に進み、軌跡、カーソル及びポインタの追従移動表示処理を行う。
【００４５】
この追従移動表示処理において、軌跡の追従移動表示は、トレースされた位置を順次検出しその位置にある表示体（ドット）を順次表示させることによって行われ、カーソルの追従移動表示は、機能カーソル５２をペン１３のタッチしている位置に移動表示させためにＲＡＭ１９のカーソル位置座標記憶領域２０の座標情報をタッチ位置に合わせて順次更新していくことによって行われ、ポインタの追従移動表示は、機能カーソル５２の移動表示に伴ってポインタ表示体５３を機能カーソルより所定距離だけ離れた近傍に移動表示させるためにＲＡＭ１９のポインタ位置記憶領域２２の座標情報をカーソル位置座標記憶領域２０の座標情報の更新に合わせて順次更新していくことによって行われる。
【００４６】
次のステップＴ１７は、手書き入力された文字を認識する処理であり、例えば所定時間毎に手書き入力された内容が１文字分の文字の完了か否かを判断して認識処理を行い、認識された場合には次のステップＴ１８に進んで、認識された文字を認識文字表示領域４８に順次表示させるものである。
【００４７】
図８（ｂ）は、確定文字表示領域４７に、既に手書き入力されて且つ確定処理された文字（確定処理については後述する。）「現在の」が表示され、「現在の」が表示されている領域の次の表示領域に入力カーソル５１が点滅表示されて次の確定文字がこの表示領域に表示される状態を示している。
【００４８】
また、手書文字入力領域４７には、手書き入力された「日本に」及び次の文字の軌跡と、機能カーソル５２及びポインタ表示体５３とがステップＴ１６の処理により表示されており、認識文字表示領域４８には、ステップＴ１７及びＴ１８の処理により、認識された文字「日本に」が表示されている。しかして、認識された文字、例えば「日本に」が間違いないので有れば、この文字の確定処理を行うもので、この処理は、確定アイコン５０上をクリックすることによって行われる。
【００４９】
即ち、クリック操作をすることによって図５のステップＴ２及びＴ４を介して図６のステップＴ１４に進み、ここでクリック操作であることが判別されると（Ｙ）次のステップＴ１９では確定アイコン５０上でのクリックか否かが判別され、確定アイコン５０上のクリックであった場合（Ｙ）には、次のステップＴ２０で認識された文字を確定文字表示領域４７の入力カーソル５１が点滅表示している領域、即ち図８（ｂ）の「現在の」が表示されている領域に続く領域に続けて表示させるものである。また、この確定処理が行われると認識文字表示領域４８に表示されていた文字、例えば「日本に」はクリアされる。
【００５０】
次に、文書入力を完了した際の動作につき説明する。図８（ｃ）は、最終文字として「決定したものである。」という文を入力して確定し、確定文字表示領域４７にその文が表示されている状態を示している。最後のタッチ入力は、確定アイコン５０上でのクリック動作なので、機能カーソル５２及びポインタ表示体５３が確定アイコン５０上に表示されている。この状態で文書入力を完了させるには図８（ｃ）に示すようにペン１３によりポインタ表示体５３上をクリックしてポインタ表示体５３を選択的に指定する。
【００５１】
ペン１３のタッチ入力は、図５のステップＴ２で検出され、ステップＴ４、図６のステップＴ１４を介してステップＴ１９に進む。ステップＴ１９では確定アイコン５０上のクリックか否かが判別されるが、確定アイコン５０上のクリックではないので（Ｎ）ステップＴ２１に進みポインタ表示体５３上のクリックか否かが判別される。ポインタ表示体５３上のクリックであると判別されると（Ｙ）、次のステップＴ２２では、表示フラッグＦを「０」にしてポインタ表示体５３の表示を消去すると共に、種類フラッグＣを「０」にして機能カーソル５２を選択カーソル３５に切り替える。
【００５２】
図８（ｄ）は、ポインタ表示体５３上をクリックした後の表示状態図でありカーソル表示体が機能カーソル５２から選択カーソル３５に切り替わって表示されている。即ち、ポインタ表示体５３上のクリックによりステップＴ２２で種類フラッグＣは「０」に設定されたので、以後のペンタッチ入力は図５のステップＴ４からステップＴ５乃至Ｔ１３に進むこととなり、従って、選択カーソル３５を各ショートアイコン４０、４１、４２、４３或いは終了アイコン３４等の上に移動させてＷクリックすることにより対応する機能を開始させることが出来るようになる。例えば、この後、作成した文書を保存或いは編集するので有ればショートアイコン４２或いは４３をＷクリックすればよいし、作成した文書を、例えば制御キー５、６、７等の操作によって外部機器や電話回線を介して送信し、その結果保存する必要がない場合は、ショートアイコン４０、４１をＷクリックすることによって新たな文書作成や既に作成されていて記憶されている文書ファイルを表示させる（開く）ことが出来る。
【００５３】
以上の如く、上記の実施の形態では、カーソル表示体３５或いは５２が機能選択機能と文字などの情報入力機能との２つの機能を備え、カーソル表示体の近傍に表示されるポインタ表示体（機能表示体）の選択指定で機能を切り替えるようにしたので、きわめてわかりやすい簡単な操作で機能の切り替えが出来るものである。また、カーソル表示体は機能選択機能と文字などの情報入力機能とでそれぞれ異なった表示態様で表示させているので、いずれの機能として動作するのか、或いはいずれの機能が選択されているのかなどカーソル表示体を見ただけで認識し得るという効果を有する。
【００５４】
図９及び図１０は、上記の実施の形態の一部の変形例を示している。即ち、上記の実施の形態では、選択カーソル３５が表示されているときにショートアイコン上をＷクリックすることによって機能を選択するようにしたが、この実施の形態では、ショートアイコン上に選択カーソルを移動することによってウインドウが開き、開かれたウインドウの中に表示されているメニューアイコンなどを選択カーソルで選択することによって機能を選択するようにしたものであり、Ｗクリックによる選択を不要にしている。尚、上述した実施の形態と同一構成部には同一符号を付して詳細な説明は省略する。
【００５５】
しかして、図９のステップＤ１ではクリック入力の有無が判断され、クリック入力の場合（Ｙ）には、次のステップＤ２で、そのクリックがショートアイコンで表示される項目上のクリックで有るか否かが判断され、項目上のクリックの場合（Ｙ）にはステップＤ３に進んで選択カーソルを項目上に移動させ次のステップＤ４でウインドウを開いてウインドウ内にその項目における複数のメニューアイコンを表示させるものである。
【００５６】
図１０（ａ）はこの時の表示状態を示しているもので、表作成、文書作成、文書の編集、通信、・・・画像処理、ヘルプ機能等、表示されている複数のショートアイコンのうち、例えば、ペン１３で文書作成のショートアイコン３１をクリックするとステップＤ３の処理によって選択カーソル３５がショートアイコン３１上に移動し、次のステップＤ４によってウインドウ６０が開き、このウインドウ６０内に文書作成のメニューアイコン６１、６２、６３が表示されるものである。
【００５７】
しかして、この状態で、図１０（ｂ）の如くメニューアイコンの一つ、例えば新規文書作成のメニューアイコン６１をペン１３でクリックすると、このクリックは図９のステップＤ１でＹｅｓ、ステップＤ２でＮｏと判断されてステップＤ５に進む。ステップＤ５では、ウインドウ内のクリックか否かが判断され、ウインドウ内のクリックである場合（Ｙ）には、ステップＤ６に進んで、新規文書作成のメニューアイコン６１上のクリックか否かが判断される。
【００５８】
ステップＤ６で、新規文書ファイル作成のメニューアイコン６１上でのクリックで有ると判断された場合（Ｙ）はステップＤ７以降に進んで、新規文書作成のアプリケーションソフトを起動して文字入力を可能にするための処理を行わせるが、メニューアイコン６１上でのクリックではない場合（Ｎ）にはステップＤ８に進み、他のメニューアイコン６２、６３のいずれの上でのクリックかを判断し、それぞれのメニューアイコンに対応するアプリケーションソフトを起動してそれぞれの処理を行わせる。
【００５９】
しかして、ステップＤ６でメニューアイコン６１上でのクリックで有ると判断された場合にはステップＤ７に進むが、このステップＤ７及びこれ以降のステップＤ９、Ｄ１０は、それぞれ図５のステップＴ１０及びＴ１２、Ｔ１３と同一の処理である。即ち、前述した実施の形態では、図７（ｃ）でメニューアイコン４０がＷクリックされることによってステップＴ１０及びＴ１２、Ｔ１３の処理により、図７（ｄ）に示すような新規文書の文字入力が可能な状態になるが、この実施の形態では、図１０（ｂ）の状態でメニューアイコン６１がクリックされることによって図７（ｄ）の文字入力が可能な表示状態になるものである。
【００６０】
このようにして文字入力が可能になった後は、上述した実施の形態と同様に手書き入力によって文字情報などを入力でき、また、ポインタ表示体の選択指定によって文字入力状態から機能選択状態に戻ることが出来るものである。
【００６１】
しかしてこの実施の形態によれば、選択カーソルによって選択項目を順次確認しながら機能を選択して行くことが出来、例えば項目選択がツリー上に構成されていて何回も選択を行わなければならない時など極めてわかり易い選択が出来るものである。
【００６２】
尚、上記の実施の形態では、クリック入力によってカーソルの機能を切り替える機能表示体を機能カーソル５２の移動に追従して近傍に表示されるポインタ表示体５３としたが、例えば、図１１（ａ）に示す様に、入力カーソル５１の近傍にポインタ表示体６５を設け、このポインタ表示体６５を機能表示体としても良い。この場合はＲＡＭ１９に入力カーソル５１の表示位置座標を記憶する入力カーソル位置記憶領域（図示せず）を設け、ポインタ位置記憶領域の座標情報を入力カーソル位置記憶領域の表示位置座標に基づいて演算して更新すればよいもので、図１１（ｂ）は、確定文字が表示されることによって入力カーソル５１及びポインタ表示体６５が移動表示した状態を示している。
【００６３】
また、図１２（ａ）及び（ｂ）に示すように、機能カーソル５２が表示されている際は、その近傍に、クリックすると機能カーソル５２を選択カーソル３５に切り替える文字表示体６６を機能表示体として表示させ、選択カーソル３５が表示されている際は、その近傍に、クリックすると選択カーソル３５を機能カーソル５２に切り替える文字表示体６７を機能表示体として表示させる様にしても良い。
【００６４】
更に、機能表示体は、図１３（ａ）及び（ｂ）に示すように、機能カーソル５２の近傍に複数のメニューアイコン表示体６８として常時追従表示させるか、或いは、機能カーソル５２の近傍に常にウインドウが開くようにしてその中にメニューアイコン表示体６８が表示されるようにして、その複数のメニューアイコンの一つをクリックすることによって、直ちにクリックされたアイコンの機能に切り替わるようにしても良いものである。
【００６５】
更にまた、図１４（ａ）に示すように、文字の手書き中は機能カーソル５２の近傍にポインタ表示体５３を表示させ、同図（ｂ）に示すようにポインタ表示体５３をクリックすると、同図（ｃ）に示すように機能カーソル５２が選択カーソル３５に切り替わると共に、ウインドウが開いてその中にメニューアイコン表示体６９が表示されるようにし、その複数のメニューアイコンの一つをクリックすることによって、機能が切り替わるようにしても良いものである。
【００６６】
また、上記の実施の形態では、カーソル表示体の表示態様を矢印形状、棒形状、或いはハイフォン形状（入力カーソル５１の場合）で表示されるようにしたが、カーソル表示体の表示態様は上記実施の形態に限定されず任意であり、例えば、アニメーション表示体や物体や生物のアイコン形状の表示体であってもよく、また、カーソルという用語を用いているが、表示画面上の位置を明示する表示体で有れば、他の用語で称呼されていても全て本発明のカーソル表示体に含まれるものである。
【００６７】
更に、上記の実施の形態では、本発明をＰＤＡ等の携帯型小型電子機器に適用した例について述べたが、ＰＤＡ或いは携帯型などの電子機器に限定されるものではなく、据え置き型の電子機器、例えば、パーソナルコンピュータ、固定電話機など、さらには、車両用の電子機器、例えば、カーナビゲーションなど、さらに、また、携帯電話、ＰＨＳ、テレビなど種種の機器の入力装置として適用できるものである。
【００６８】
【発明の効果】
以上詳述したように、本発明の請求項１の情報入力装置では、情報入力時に表示されるカーソル表示体の近傍に機能表示体を表示させ、この機能表示体を選択指定することによって予め定められた処理を実行させるようにしたので、極めてわかりやすい簡単な操作で他の処理を直ちに実行させることができる効果を有するものである。
【００６９】
また、本発明の請求項７の情報入力装置は、請求項１で述べた効果に加えて、カーソル表示体に情報入力機能と処理項目の選択機能を持たせ、それぞれの機能での表示態様を変えるようにしたのでいずれの機能として動作中なのかが直ちに認識できる効果を有するものである。
【図面の簡単な説明】
【図１】本発明の実施の形態による電子機器１の外観正面図である。
【図２】図１で示した電子機器１の回路ブロック図である。
【図３】図２のＲＡＭ１９の構成図である。
【図４】電子機器１の動作を示す電源投入時におけるフローチャートである。
【図５】同じく文書作成モードにおけるフローチャートである。
【図６】同じく文書作成モードにおけるフローチャートである。
【図７】電子機器１の表示領域１１における表示状態を示す図である。
【図８】同じく他の表示状態を示す図である。
【図９】本発明の他の実施の形態による動作を示すフローチャートである。
【図１０】図９に示したフローチャートの動作を示す表示状態図である。
【図１１】他の表示例を示す図である。
【図１２】更に、他の表示例を示す図である。
【図１３】更に、他の表示例を示す図である。
【図１４】更に、他の表示例を示す図である。
【符号の説明】
１    電子機器
２    表示画面
１２    ペン入力パネル
１３    ペン
１４    制御部
１５    ＲＯＭ
１６    キー入力部
１９    ＲＡＭ
２０    カーソル位置座標記憶領域
２１    種類フラッグ記憶領域
２２    ポインタ位置記憶領域
２３    表示フラッグ記憶領域
２４    ワークエリア
２５    データ記憶エリア
３５    選択カーソル
５１    入力カーソル
５２    機能カーソル
５３    ポインタ表示体
【図１】
2004177991.tif 000003
【図２】
2004177991.tif 000004
【図３】
2004177991.tif 000005
【図４】
2004177991.tif 000006
【図５】
2004177991.tif 000007
【図６】
2004177991.tif 000008
【図７】
2004177991.tif 000009
【図８】
2004177991.tif 000010
【図９】
2004177991.tif 000011
【図１０】
2004177991.tif 000012
【図１１】
2004177991.tif 000013
【図１２】
2004177991.tif 000014
【図１３】
2004177991.tif 000015
【図１４】
2004177991.tif 000016